(57)【特許請求の範囲】
【請求項１】
筒状部材と、
レンズを保持し、前記筒状部材に保持され光軸方向に移動可能な筒状移動部材とを有し、
前記筒状移動部材は、該筒状移動部材の光軸方向の一端側に、光軸回りに複数の径圧入部が設けられ、前記径圧入部は光軸方向に沿って前記筒状部材に対する径圧入量が段階的にあるいは連続的に異なることを特徴とするレンズ鏡筒。
【請求項２】
前記径圧入部の径圧入量が、前記筒状移動部材の内径または外径から光軸方向の前記一端に向かって段階的にあるいは連続的に大きくなるように設定されていることを特徴とする請求項１記載のレンズ鏡筒。
【請求項３】
前記筒状移動部材は前記筒状部材より弾性の高い材料で形成されていることを特徴とする請求項１または２に記載のレンズ鏡筒。
【請求項４】
前記径圧入部を、前記筒状移動部材に一体に固定された圧入部材で形成し、該圧入部材は前記筒状移動部材より摺動性の高い材料で形成されていることを特徴とする請求項１から３のいずれか１項に記載のレンズ鏡筒。
【請求項５】
請求項１から４のいずれか１項に記載のレンズ鏡筒と、
前記レンズ鏡筒からの光を受ける撮像素子を有するカメラ本体と
を有することを特徴とする光学機器。
【発明の詳細な説明】
【技術分野】
【０００１】
本発明は、交換レンズ等のレンズ鏡筒および交換レンズを装着したカメラを含むカメラシステム等の光学機器に関するものである。
【背景技術】
【０００２】
従来、レンズ鏡筒において、レンズ等の光学素子を光軸方向へ移動させる構成として、カム機構が知られている。
【０００３】
一般的なカム機構は、レンズ筒に設けられたカムフォロアと、そのレンズ筒と相対的に回転するカム筒に設けられるカムと、レンズ筒の回転止めを行う直進ガイド部材とから構成される。
【０００４】
カムおよびカムフォロアは、それぞれ光軸回りの３分割位置に設けられており、各カムフォロアはそれぞれ対応する位置のカムに係合している。
レンズ筒は、カム筒の回転によりカムの光軸方向に沿った変位分だけ光軸方向に直進的に移動する。
【０００５】
このようなカム機構では、形成精度に起因するカムとカムフォロアとの係合ガタが存在すると、カムを構成する対向壁面のうちの一方だけがカムフォロアに当接する片当たり状態となり、レンズ筒が光軸に対して傾いてしまうという問題点があった。
【０００６】
このような不都合を解消するレンズ移動装置として、第１レンズ筒に係合して第１レンズ筒を径方向に押圧する押圧部材を第２レンズ筒に設けるものがある（特許文献１参照）。
【０００７】
これにより、第２レンズの光軸に対して第１レンズの光軸が傾くことなく、第２レンズ筒が第１レンズ筒を支持することを可能としている。
また、第１レンズ筒を押圧する第２レンズ筒の押圧突起の面を球状に形成することで、第１および第２レンズ筒を光軸方向に相対的にスムーズに移動させることを可能としている。
【特許文献１】特開２００１−１０００８３号公報
【発明の開示】
【発明が解決しようとする課題】
【０００８】
しかしながら、上記のレンズ移動装置では、第２レンズ筒の押圧部材が光軸方向の一点で第１レンズ筒に当たっており、押圧位置を支点とする第１レンズ筒の傾き変化によって発生する押圧部材の変形量の変化が小さい。
【０００９】
このように、第１レンズ筒の傾きによる力に対して、押圧部材の変形量が小さいため、結局、第１レンズ筒の傾きが発生してしまう。
【００１０】
また、押圧部材が第１レンズ筒の内径側に接触しているため、押圧部材の変形の復元しようとする力が、押圧位置を支点とする第１レンズ筒の傾きを発生させる力としても作用していた。
【００１１】
したがって、保持しているレンズの質量が大きい場合や、押圧位置とレンズの重心が離れている場合など、レンズ筒の傾きを発生させる力が大きい場合には、レンズ筒の傾きを防止しきれず、撮影姿勢の変化によってレンズ筒が傾き、光学性能が低減するという問題が生じていた。
【００１２】
そこで、本発明の目的は、レンズの傾きを低減させることのできるレンズ鏡筒および光学機器を提供することにある。
【課題を解決するための手段】
【００１３】
本発明は、筒状部材と、レンズを保持し、前記筒状部材に保持され光軸方向に移動可能な筒状移動部材とを有し、前記筒状移動部材は、該筒状移動部材の光軸方向の一端側に、光軸回りに複数の径圧入部が設けられ、前記径圧入部は光軸方向に沿って前記筒状部材に対する径圧入量が段階的にあるいは連続的に異なることを特徴としている。
【発明の効果】
【００１４】
本発明では、光軸方向に沿って筒状部材に対する径圧入量が段階的にあるいは連続的に異なる複数の径圧入部が筒状移動部材の光軸方向の一端側に設けている。これにより本発明によれば、レンズの傾きの発生を低減させることができる。
【発明を実施するための最良の形態】
【００１５】
以下に、本発明の実施の形態を添付の図面に基づいて詳細に説明する。
【実施例１】
【００１６】
図１は、本発明の第１の実施例である一眼レフカメラ用の交換レンズ（レンズ鏡筒）およびこれを装着したカメラを含むカメラシステム（光学機器）を示している。
【００１７】
図１において、１００は交換レンズ、２００はカメラ本体、２０１はカメラ本体内に配置されたＣＣＤやＣＭＯＳ等の撮像素子を示している。
【００１８】
この交換レンズは、第１〜第６群レンズＬ１〜Ｌ６を有する６群構成のレンズであり、ズーム動作によって全てのレンズＬ１〜Ｌ６が光軸方向に移動し、フォーカス動作によって第２群レンズＬ２が光軸方向に移動する。
【００１９】
このとき、第３群レンズＬ３と第６群レンズＬ６とが一体的に移動し、第５群レンズＬ５は光軸方向への移動とは別に、振れ補正動作を行うために光軸直交方向にも移動する。
【００２０】
１０１はマウントで、カメラ本体２００に取り付けるためのバヨネット部を有しており、固定筒１０２にビス止め固定されている。
【００２１】
１０３は外装環で、マウント１０１と固定筒１０２との間に挟み込まれて固定されている。外装環１０３には、目盛窓１０４、名称プレート１０５、ＳＷパネル１０６が取り付けられている。ＳＷパネル１０６に設けられたスイッチを切り換えることによって、オートフォーカスや振れ補正などの機能を選択して使用することができる。
【００２２】
１０７は案内筒で、固定筒１０２がビス止めされることでカメラ本体に対して固定部を構成している。案内筒１０７の外周には、バヨネット結合によって光軸回りの回転のみ可能となっているカム筒１０８（筒状部材）が嵌合しており、カム筒１０８を回転させると、案内筒１０７に設けられた光軸方向の案内溝とカム筒１０８に設けられたカム溝の交点が移動する。
【００２３】
これにより、第３群レンズＬ３を保持する３群保持枠１０９、第４群レンズＬ４を保持する４群保持枠１１０、振れ補正ユニット１１１および直進筒１１２（筒状移動部材）を、それぞれにビス止めされたカムフォロア１１３〜１１６を介して光軸方向へ移動させることができる。
【００２４】
３群保持枠１０９には、絞り駆動部と絞り羽根部とから構成される電磁絞りユニット１１７がビス止めされている。また３群保持枠１０９の延出部１０９ａの後端には、第６群レンズＬ６を保持する６群保持枠１１８が、補強板１１９とともにばね座金付きビスにてビス止めされている。
【００２５】
４群保持枠１１０の前端にはフック部が設けられており、このフック部には、開放口径の決定および有害光のカットを目的とする移動絞り１２１が前方より弾性結合されている。
【００２６】
振れ補正ユニット１１１は、第５群レンズＬ５を光軸直交方向に駆動可能に保持しており、マグネットおよびコイルとから構成される駆動部によって第５群レンズＬ５を駆動する。
【００２７】
筒状移動部材である直進筒１１２には、フィルター枠１２２がビス止めされており、フィルター枠１２２の先端外周にはバヨネット部が、内周にはネジ部がそれぞれ設けられ、それぞれフード、フィルター等のアクセサリーが装着可能となっている。また、フィルター枠１２２には、第１群レンズＬ１を保持する１群保持枠１２３がビス止めされている。
【００２８】
フィルター枠１２２と１群保持枠１２３の当接部はそれぞれ周方向に延びる斜面形状に形成されており、１群保持枠１２３を回転させてフィルター枠１２２に取り付けることで、フィルター枠１２２に対する１群保持枠１２３の光軸方向位置を選択することができる。
【００２９】
これにより、製造誤差による広角側と望遠側の焦点位置のずれを補正することができる。
【００３０】
１２４は化粧環であり、化粧環１２４の前面にはレンズ名称等の表示が印刷されている。１２５はフォーカスユニットであり、フォーカスユニット１２５は案内筒１０７にビス締めにより固定されている。
【００３１】
フォーカスユニット１２５は、主として振動型モータと差動機構とで構成されており、振動型モータのロータ回転量とマニュアルリング１２６の回転量に応じたフォーカスキー１２７の回転量を出力する。フォーカスユニット１２５の前側には、水平および垂直方向の振れの角速度を検出する一対の振動ジャイロ１２８が半田付けされたジャイロ基板１２９が、ゴムダンパーを介してビス止めされている。また、フォーカスユニット１２５から円弧状に延出した突出部の外周には、グレイコードパターンが形成されたエンコーダフレキシブル基板１３０が貼り付けられている。さらに、フォーカスユニット１２５の前側における振動ジャイロ１２８およびエンコーダフレキシブル基板１３０が設けられていない位相に設けられた突出部には、コロ１３１がビス止めされている。
【００３２】
１３２はズーム操作環であり、ズーム操作環１３２の周方向に設けられている溝には、コロ１３１が係合している。これにより、ズーム操作環１３２は、光軸方向の移動が阻止された状態で光軸回りの回転のみが可能となっている。また、ズーム操作環１３２の内周には、カム筒１０８にビス止めされたズームキー１３３が係合する凹部が形成されており、ズームキー１３３を介してズーム操作環１３２と一体的にカム筒１０８を回転させることができる。
【００３３】
１３４は中間筒であり、中間筒１３４の外周には、ズーム操作環１３２の内周に設けられた光軸方向に延びる溝に係合する突起部が形成されている。また中間筒１３４の内周には、フィルター枠１２２の外周に設けられた突起部が係合するリード溝が形成されている。
【００３４】
このため、中間筒１３４はズーム操作環１３２と一体的に回転し、ズーム操作環１３２の回転方向の位置とフィルター枠１２２の光軸方向の位置に応じて光軸方向に進退する。
【００３５】
１３５はズーム操作環１３２の外周に巻き付けられたズームゴムであり、１３６はズーム操作環１３２の前端部に弾性結合しているネームリングである。
【００３６】
１３７はズーム操作環１３２にビス止めされたズームブラシであり、ズームブラシ１３７はエンコーダフレキシブル基板１３０のグレイコードパターン上を摺動する。これにより、ズーム操作環１３２とエンコーダフレキシブル基板１３０との位置関係を検出する。
【００３７】
１３８はインナーカム筒であり、インナーカム筒１３８にはカムフォロア１３９がコイルばねを介してビス締めされ固定されている。カムフォロア１３９は、案内筒１０７に設けられたカム溝およびカム筒１０８に設けられた光軸方向溝に係合する。
【００３８】
このため、インナーカム筒１３８はカム筒１０８と一体的に回転しながら光軸方向に進退する。
【００３９】
１４０は第２群レンズＬ２を保持する２群保持枠であり、２群保持枠１４０の外周に設けられた突起部はインナーカム筒１３８の内周に設けられたカム溝に係合している。また、２群保持枠１４０から延出したキー部は、フォーカスキー１２７と一体的に回転するよう係合している。
【００４０】
このため、２群保持枠１４０は、カム筒１０８が回転する（フォーカスキー１２７は停止）と、インナーカム筒１３８の光軸方向進退量とインナーカム筒１３８のカム溝の回転に伴う係合点の光軸方向変化量の合計量だけ光軸方向に進退する。また、フォーカスキー１２７が回転する（カム筒１０８は停止）と、回転しながらインナーカム筒１３８のカム溝との係合点の光軸方向変化量に応じて進退する。
【００４１】
本実施形態の交換レンズでは、これらの機構により、インナーフォーカスにおける焦点距離変化に伴う焦点位置ずれを機構的に補正して第２群レンズＬ２を光軸方向に進退させることができる。
【００４２】
１４１は目盛シートであり、目盛りシート１４１はフォーカスユニット１２５の出力であるフォーカスキー１２７と一体的に回転し、目盛窓１０４と合わせて焦点位置の表示を行う。
【００４３】
１４２はメイン基板を示している。メイン基板１４２は、フォーカスユニット１２５、電磁絞りユニット１１７、振れ補正ユニット１１１、ジャイロ基板１２９およびエンコーダフレキシブル基板１３０と可撓性フレキシブル基板を介して電気的に接続され、各種制御を行う。
【００４４】
１４３はマウント１０１にビス止めされ、メイン基板１４２とフレキシブル基板を介して接続された接点ブロックであり、カメラ本体との通信および電源の供給を行うために設けられている。
【００４５】
１４４は裏蓋であり、マウント１０１に弾性結合されている。裏蓋１４４により有害光がカットされるようになっている。
【００４６】
１４６は、それぞれが偏芯した中心軸を有する回転軸部およびコロ部とを有する偏芯コロである。
【００４７】
この偏芯コロ１４６の軸部は６群保持枠１１８のコロ受け部に設けられたコロ軸穴部に圧入されて外れることなく回転可能に保持されているとともに、コロ部は３群保持枠１０９の延出部１０９ａに設けられた光軸方向の長穴部に係合している。
【００４８】
上記構成で、６群保持枠１１８のコロ軸穴を中心として偏芯コロ１４６を回転させると、６群保持枠１１８がばね座金の付勢力で３群保持枠１０９に対して押圧されているため、偏芯コロ１４６のコロ部が３群保持枠１０９の長穴部の中を光軸方向に移動する。
【００４９】
同時に、軸部がコロ部を中心に偏芯回転するため、６群保持枠１１８が３群保持枠１０９との当接面に沿って光軸直交方向に移動する。
【００５０】
そして、３箇所の偏芯コロ１４６の回転位置の組み合わせによって、６群保持枠１１８を光軸直交面内で所望の方向に移動させることができ、第３群レンズＬ３に対する第６群レンズＬ３の光軸ずれを修正することができる。
【００５１】
以上のように構成された交換レンズでは、ズーム操作環１３２を回転させると、ズームキー１３３を介してカム筒１０８が回転し、上記機構に従い全てのレンズＬ１〜Ｌ６が光軸方向に進退してズーミングが行われる。
なお、この際、第３群レンズＬ３と第６群レンズＬ６とは一体的に進退する。
【００５２】
一方、オートフォーカス時には振動型モータの駆動により、マニュアルフォーカス時にはマニュアルリング１２６を回転させることにより、それぞれフォーカスキー１２７を回転させる。
【００５３】
これにより、上記機構に従い、第２群レンズＬ２が進退し、フォーカシングを行うことができる。
【００５４】
また、振れ補正動作時には、振動ジャイロ１２８の出力およびエンコーダフレキシブル基板１３０の出力に応じて振れ補正ユニット１１１を制御し、第５群レンズＬ５を光軸直交面内で、発生している振れによるフィルム面での像の移動を打ち消す方向に駆動する。
【００５５】
次に、第１群レンズＬ１を保持する構造について、図２から図４を用いて詳しく説明する。
【００５６】
１０７は案内筒、１０８はカム筒、１１２は直進筒、１２２はフィルター枠、１２３は１群保持枠であることは図１で説明したとおりである。
案内筒１０７には、光軸方向の案内溝１０７ａが設けられている。
【００５７】
筒状部材としてのカム筒１０８は、金属材料で形成され、案内筒１０７に対して光軸回りの回転のみ可能に嵌合しており、案内筒１０７の案内溝１０７ａに対応した位置にカム溝１０８ａが設けられている。
【００５８】
筒状移動部材としての直進筒１１２は、プラスチック材料で形成され、光軸方向一端側に図１で説明したカムフォロア１１６の止めビス位置を規制する穴１１２ｃが設けられているとともに、他端側にはフィルター枠１２２、１群保持枠１２３を介して第１群レンズＬ１を保持している。
【００５９】
直進筒１１２におけるビス穴１１２ｃ近傍の内径には、ビス穴１１２ｃを挟んでフィルター枠１２２から遠い側に径圧入部としての突起１１２ｂ、フィルター枠１２２に近い側に突起１１２ａが、それぞれ光軸回りの３分割位置に設けられている。
【００６０】
ここで、図３に示すように、突起１１２ａの内径寸法（φＡ）、突起１１２ｂの内径寸法（φＢ）、カム筒１０８の外径寸法（φＣ）は、φＣ＞φＡ＞φＢの関係となっており、カム筒１０８の外径よりも直進筒１１２の内径が小さくなっている。したがって、径圧入部として突起１１２ａ、１１２ｂは段階的に径圧入量が異なるように設定（形成）されている。
【００６１】
したがって、直進筒１１２をカム筒１０８に組み込むと、図４に示すように、直進筒１１２がカム筒１０８に対して圧入状態となり、カム筒１０８に対して剛性の劣る材料から成る直進筒１１２が変形する。
【００６２】
具体的には、突起１１２ａおよび１１２ｂの内径がカム筒１０８の外形に沿う形状（直進筒１１２の内径が、突起１１２ａ側から突起１１２ｂ側に向かって大きくなっていく形状）に変形する。
【００６３】
なお、案内溝１０７ａ、カム溝１０８ａ、ビス穴１１２ｃは、それぞれ光軸回りの３分割位置に設けられており、３個のカムフォロア１１６がそれぞれ対応する位置の案内溝１０７ａおよびカム溝１０８ａに係合している。
【００６４】
これにより、カム筒１０８を回転させ、案内筒１０７に設けられた光軸方向の案内溝１０７ａとカム筒１０８に設けられたカム溝１０８ａの交点を移動させることで、直進筒１１２をカムフォロア１１６を介して光軸方向へ移動させることができる。
【００６５】
上記第１の実施形態では、光軸方向へ移動可能に保持される直進筒１１２の光軸方向一端側に、光軸回りの３分割位置にそれぞれ光軸方向２箇所のカム筒１０８の外径に対する径圧入部としての突起１１２ａ、１１２ｂを設け、光軸方向の２箇所の内径を異ならせること（突起１１２ａ、１１２ｂの径圧入量が段階的に異なるように設定）で、カム筒１０８に対する光軸方向の径圧入量を異ならせている。
【００６６】
これにより、径圧入による直進筒１１２の変形があっても、カム筒１０８と直進筒１１２における径方向当接箇所の光軸方向の長さを確保することができ、直進筒１１２の傾き変化によって発生する直進筒１１２の変形量の変化を大きくすることができる。
【００６７】
したがって、直進筒１１２の傾きを増大させようとする力に対して、直進筒１１２の変形量が増大（付勢力が増大）することによる抵抗力を大きくする事ができる。
【００６８】
さらに、直進筒１１２が外径側と内径側のいずれに配置されている場合であっても、変形を復元しようとする力を、直進筒１１２の傾きを防止する力として作用させることができる。
【００６９】
また、直進筒１１２におけるフィルター枠１２２（１群保持枠１２３を介して第１群レンズＬ１を保持している）の固定側から近い側の内径を、遠い側の内径よりも大きく（カム筒１０８との径圧入量を小さく）している。
【００７０】
これにより、カム筒１０８と直進筒１１２における径方向当接箇所の光軸方向の長さを確保しつつ、カム筒１０８への径圧入による直進筒１１２のフィルター枠１２２の固定部の変形を抑えることができ、第１群レンズＬ１を精度良く保持できる。
【００７１】
また、直進筒１１２をカム筒１０８（金属材料で形成）よりも弾性の高いプラスチック材料で形成することにより、径圧入での直進筒１１２の変形力によるカム筒１０８の変形を抑え、他のレンズ（第２〜第６群レンズＬ２〜Ｌ６）をも精度良く保持できる。
【００７２】
また上記の実施例では、筒状移動部材である直進筒１１２の内径に径圧入部としての突起１１２ａ、１１２ｂを形成したが、直進筒１１２の外径に径圧入部としての突起（段階的に径圧入量が異なる複数の突起）を形成し、この直進筒１１２の外径に筒状部材としてのカム筒１０８あるいは案内筒１０７を径圧入させる構成としてもよい。
【実施例２】
【００７３】
図５から図７には、第２の実施例であるレンズ鏡筒の保持構造（第１群レンズＬ１を保持する構造）を示している。なお、これらの図において、図１から図４に示した第１の実施例と同一部分には同一符号を付して重複説明を省略する。
【００７４】
１５１はプラスチック材料で形成された直進筒である。筒状移動部材としての直進筒１５１には、光軸方向一端側に図１で説明したカムフォロア１１６の止めビス位置を規制する穴１５１ｃが設けられているとともに、他端側にはフィルター枠１２２、１群保持枠１２３を介して第１群レンズＬ１を保持している。
【００７５】
直進筒１５１におけるビス穴１５１ｃ近傍の内径には、光軸方向に沿って内径が連続的に変化して延在する径圧入部としての突起１５１ａが光軸回りの３分割位置に設けられている。
【００７６】
ここで、図６に示すように、フィルター枠１２２側での突起１５１ａの内径寸法（φＡ）、遠い側での内径寸法（φＢ）、カム筒１０８の外径寸法（φＣ）は、φＣ＞φＡ＞φＢの関係となっており、カム筒１０８の外径よりも直進筒１５１の内径が小さくなっている。
【００７７】
したがって、直進筒１５１を筒状部材としてのカム筒１０８に組み込むと、図７に示すように、直進筒１５１がカム筒１０８に対して圧入状態となり、カム筒１０８に対して剛性の劣る材料から成る直進筒１５１が変形する。
【００７８】
具体的には、突起１５１ａの内径がカム筒１０８の外形に沿う形状（直進筒１５１の内径が、フィルター枠１２２に近い側から遠い側に向かって大きくなっていく形状）に変形する。突起１５１ａによる径圧入量が連続的に変化するように設定されて形成されている。
【００７９】
なお、案内溝１０７ａ、カム溝１０８ａ、ビス穴１５１ｃは、それぞれ光軸回りの３分割位置に設けられており、３個のカムフォロア１１６がそれぞれ対応する位置の案内溝１０７ａおよびカム溝１０８ａに係合している。
【００８０】
これにより、カム筒１０８を回転させ、案内筒１０７に設けられた光軸方向の案内溝１０７ａとカム筒１０８に設けられたカム溝１０８ａの交点を移動させることで、直進筒１５１をカムフォロア１１６を介して光軸方向へ移動させることができる。
【００８１】
上記の実施例では、光軸方向へ移動可能に保持される直進筒１５１の光軸方向一端側に、光軸回りの３分割位置にそれぞれ光軸方向に沿ったカム筒１０８の外径に対する径圧入部（突起１５１ａ）を設け、内径を光軸方向に沿って連続的に変化させることで、カム筒１０８に対する光軸方向の径圧入量を連続的に異ならせている。
【００８２】
これにより、径圧入による直進筒１５１の変形があっても、カム筒１０８と直進筒１５１における径方向当接箇所の光軸方向の長さを確保することができ、直進筒１５１の傾き変化によって発生する直進筒１５１の変形量の変化を大きくすることができる。
【００８３】
したがって、直進筒１５１の傾きを増大させようとする力に対して、直進筒１５１の変形量が増大（付勢力が増大）することによる抵抗力を大きくする事ができる。また、直進筒１５１が外径側と内径側のいずれに配置されている場合であっても、変形を復元しようとする力を、直進筒１５１の傾きを防止する力として作用させることができる。さらに、直進筒１５１におけるフィルター枠１２２（１群保持枠１２３を介して第１群レンズＬ１を保持している）の固定側から近い側の内径を、遠い側の内径よりも大きく（カム筒１０８との径圧入量を小さく）している。
【００８４】
これにより、カム筒１０８と直進筒１５１における径方向当接箇所の光軸方向の長さを確保しつつ、カム筒１０８への径圧入による直進筒１５１のフィルター枠１２２の固定部の変形を抑えることができ、第１群レンズＬ１を精度良く保持できる。
【００８５】
また、直進筒１５１をカム筒１０８（金属材料で形成）よりも弾性の高いプラスチック材料で形成することにより、径圧入での直進筒１５１の変形力によるカム筒１０８の変形を抑え、他のレンズ（第２〜第６群レンズＬ２〜Ｌ６）をも精度良く保持できる。
【００８６】
また上記の実施例では、筒状移動部材である直進筒１５１の内径に径圧入部としての突起１５１ａを形成したが、直進筒１５１の外径に径圧入部としての突起（連続的に径圧入量が異なる突起）を形成し、この直進筒１５１の外径に筒状部材としてのカム筒１０８あるいは案内筒１０７を径圧入させる構成としてもよい。
【００８７】
以上、実施例に基づき本発明を説明したが、本発明の具体的構成は、上記実施形態で説明したものに限られるものではない。
【００８８】
例えば、上記実施形態では、直進筒をカム筒よりも弾性の高いプラスチック材料で形成することにより、カム筒の変形を抑えた例を説明したが、直進筒に薄肉や細幅の形状等を形成して弾性を持たせることで、同一材料であっても同様の効果を得ることができる。
【００８９】
また、径圧入部としての突起を直進筒と異なる材料の圧入部材とし、圧入部材を直進筒に一体に固定した構成としてもよい。さらに圧入部材を直進筒の摺動性より高い摺動性を有する材料で形成する。これにより、直進筒のカム筒に対する移動を良好に保つことができ、直進筒の傾きを防止できる。
【００９０】
さらに、上記実施形態では、一眼レフデジタルカメラに用いられる交換レンズについて説明したが、本発明は、一眼レフフィルムカメラ、レンズシャッタカメラ、デジタルカメラ、ビデオカメラ等の各種光学機器のレンズ鏡筒部分に用いることができる。
【図面の簡単な説明】
【００９１】
【図１】本発明の第１の実施形態である一眼レフカメラ用交換レンズの断面図。
【図２】上記交換レンズに備えられたレンズ保持構造を示す分解斜視図。
【図３】上記交換レンズに備えられたレンズ保持構造要部を示す分解断面図。
【図４】上記交換レンズに備えられたレンズ保持構造要部を示す断面図。
【図５】本発明の第２の実施形態であるレンズ保持構造を示す分解斜視図。
【図６】上記交換レンズに備えられたレンズ保持構造要部を示す分解断面図。
【図７】上記交換レンズに備えられたレンズ保持構造要部を示す断面図。
【符号の説明】
【００９２】
１０８  カム筒
１１２  直進筒
１１２ａ、１１２ｂ  突起
１５１  直進筒
１５１ａ  突起
【図１】
0004839290.tif 000002
【図２】
0004839290.tif 000003
【図３】
0004839290.tif 000004
【図４】
0004839290.tif 000005
【図５】
0004839290.tif 000006
【図６】
0004839290.tif 000007
【図７】
0004839290.tif 000008